(57)【要約】【課題】浴槽に溜められた水の熱を効果的に利用することが可能であると共に、浴室の乾燥機能をより発揮することが可能な浴室乾燥機を提供すること。【解決手段】この浴室乾燥機は、浴室における洗い場の床面近傍に配置されるハウジングと、浴室に配置された浴槽に溜められた水から熱を回収し、内部風路を流れる空気に熱を与えるヒートポンプと、を備え、ヒートポンプは、浴槽に溜められた水を循環する循環流路と、循環流路から熱を回収する蒸発器と、内部風路を流れる空気に蒸発器で回収した熱を供給する凝縮器と、凝縮器に向けて冷媒を圧送する圧縮機と、を有する。【選択図】図２
2013076542.tif 000002
【特許請求の範囲】
【請求項１】
浴室の床面近傍に設けられる浴室乾燥機であって、
浴室における洗い場の床面近傍に配置されるハウジングと、
前記ハウジングの一面に設けられ、浴室の空気を吸い込む吸込口と、
前記ハウジングの一面に設けられ、前記吸込口から吸い込んだ空気を浴室に吹き出す吹出口と、
前記ハウジングの内部に設けられ、前記吸込口と前記吹出口とを繋ぐ内部風路と、
前記内部風路に設けられ、前記吸込口から前記吹出口に至る空気の流れを形成する送風機と、
浴室に配置された浴槽に溜められた水から熱を回収し、前記内部風路を流れる空気に熱を与えるヒートポンプと、を備え、
前記ヒートポンプは、
浴槽に溜められた水を循環する循環流路と、前記循環流路から熱を回収する蒸発器と、前記内部風路を流れる空気に前記蒸発器で回収した熱を供給する凝縮器と、前記凝縮器に向けて冷媒を圧送する圧縮機と、を有することを特徴とする浴室乾燥機。
【請求項２】
前記ヒートポンプは、浴室の洗い場に設けられたカウンターの下方に配置されていることを特徴とする請求項１に記載の浴室乾燥機。
【請求項３】
前記ヒートポンプは、浴槽側から洗い場側に向かう方向において、前記蒸発器、前記凝縮器の順に配置されていることを特徴とする請求項２に記載の浴室乾燥機。
【請求項４】
前記循環流路には、前記圧縮機が発生する熱を回収する熱回収部が設けられていることを特徴とする請求項１から３のいずれか１項に記載の浴室乾燥機。
【請求項５】
前記循環流路の上流側に前記蒸発器が設けられ、下流側に前記熱回収部が設けられていることを特徴とする請求項４に記載の浴室乾燥機。
【請求項６】
前記蒸発器は、前記循環流路を形成する管路の内部に設けられていることを特徴とする請求項１から５のいずれか１項に記載の浴室乾燥機。
【請求項７】
前記循環流路には、前記管路内の水を循環させるためのポンプが設けられ、
前記ポンプは、浴槽から水を取水する取水口よりも低い位置に配置されていることを特徴とする請求項１から６のいずれか１項に記載の浴室乾燥機。
【請求項８】
前記取水口は、浴槽の水を排水するための排水口であることを特徴とする請求項７に記載の浴室乾燥機。
【発明の詳細な説明】
【技術分野】
【０００１】
本発明は、浴室乾燥機に関する。
【背景技術】
【０００２】
このような浴室乾燥機として、浴室の空気を吸引してヒーターを経由させて浴室方向に空気を噴出する循環モードと、浴室の空気を吸引して浴室外へと排出する換気モードとを実行可能なように、換気口と循環吹出口とをダンパで切り替えるものが知られている。その中で、１つの送風機を備え、その１つの送風機によって浴室以外の第二室からの換気を浴室内の換気と同時に行うものが知られている（例えば、下記特許文献１参照）。
【先行技術文献】
【特許文献】
【０００３】
【特許文献１】特開平１１−３０４３５７号公報
【発明の概要】
【発明が解決しようとする課題】
【０００４】
従来の浴室乾燥機は、浴室に設けられていた換気扇の代わりに設けられるものであるから、浴室の天井に取り付けられていた。しかしながら、浴槽に溜められた水の熱を利用して乾燥機能を発揮させようとすると、浴室乾燥機の配置位置は浴室の天井が必ずしも最善の位置ではなく、より好ましい配置位置を検討する必要がある。
【０００５】
本発明はこのような課題に鑑みてなされたものであり、その目的は、浴槽に溜められた水の熱を利用する浴室乾燥機であって、浴槽に溜められた水の熱を効果的に利用することが可能であると共に、浴室の乾燥機能をより発揮することが可能な浴室乾燥機を提供することにある。
【課題を解決するための手段】
【０００６】
上記課題を解決するために本発明に係る浴室乾燥機は、浴室の床面近傍に設けられる浴室乾燥機であって、浴室における洗い場の床面近傍に配置されるハウジングと、前記ハウジングの一面に設けられ、浴室の空気を吸い込む吸込口と、前記ハウジングの一面に設けられ、前記吸込口から吸い込んだ空気を浴室に吹き出す吹出口と、前記ハウジングの内部に設けられ、前記吸込口と前記吹出口とを繋ぐ内部風路と、前記内部風路に設けられ、前記吸込口から前記吹出口に至る空気の流れを形成する送風機と、浴室に配置された浴槽に溜められた水から熱を回収し、前記内部風路を流れる空気に熱を与えるヒートポンプと、を備える。ヒートポンプは、浴槽に溜められた水を循環する循環流路と、前記循環流路から熱を回収する蒸発器と、前記内部風路を流れる空気に前記蒸発器で回収した熱を供給する凝縮器と、前記凝縮器に向けて冷媒を圧送する圧縮機と、を有する。
【０００７】
本発明によれば、浴室の洗い場床面近傍にハウジングが配置されるので、吹出口を洗い場の床面近傍に設けることができ、洗い場床面に空気を吹きつけて乾燥することができる。更に、本発明に係る浴室乾燥機はヒートポンプを内蔵しているので、ヒートポンプを洗い場側に配置することができ、浴槽の近傍にヒートポンプを配置しない構成を採用することができる。浴槽の近傍にヒートポンプを配置せずとも、洗い場の浴槽側にヒートポンプを配置することができるので、浴槽に溜められた水の熱を効果的に利用することが可能となり、浴室を乾燥する機能をより発揮することができる。
【０００８】
また本発明に係る浴室乾燥機では、前記ヒートポンプは、浴室の洗い場に設けられたカウンターの下方に配置されていることも好ましい。
【０００９】
この好ましい態様では、ヒートポンプを洗い場のカウンター下に配置しているので、浴室に必ず必要な洗い場においてデッドスペースとなりがちなカウンター下の空間を有効に活用することができる。更に、カウンターは洗い場の浴槽側から対向する壁面に向けて配置されることが多いので、カウンター下にヒートポンプを配置することで洗い場の浴槽側にヒートポンプを配置することができる。
【００１０】
また本発明に係る浴室乾燥機では、前記ヒートポンプは、浴槽側から洗い場側に向かう方向において、前記蒸発器、前記凝縮器の順に配置されていることも好ましい。
【００１１】
この好ましい態様では、浴槽に溜められた水から熱を受ける蒸発器を浴槽側に配置することができると共に、内部風路に流れる空気に熱を供給する凝縮器を洗い場側に配置することができるので、熱を無駄に逃がすことなく有効活用することができる。
【００１２】
また本発明に係る浴室乾燥機では、前記循環流路には、前記圧縮機が発生する熱を回収する熱回収部が設けられていることも好ましい。
【００１３】
この好ましい態様では、圧縮機が発生する熱を回収し、循環流路に流れる水に熱を与えることができるので、圧縮機が発生する熱を有効活用することができる。
【００１４】
また本発明に係る浴室乾燥機では、前記循環流路の上流側に前記蒸発器が設けられ、下流側に前記熱回収部が設けられていることも好ましい。
【００１５】
この好ましい態様では、圧縮機で加熱した水を浴槽に排水することで浴槽水の温度低下を軽減することができるので、圧縮機が発生する熱をより有効活用することができる。
【００１６】
また本発明に係る浴室乾燥機では、前記蒸発器は、前記循環流路を形成する管路の内部に設けられていることも好ましい。
【００１７】
この好ましい態様では、循環流路を形成する管路の内部に蒸発器を設けることで、蒸発器表面に水が結露したとしても管路の内部に流れる水と渾然一体となるので、蒸発器表面に発生する結露水を処理するための特別な流路を設ける必要がなくなり、装置全体を小型化することができる。
【００１８】
また本発明に係る浴室乾燥機では、前記循環流路には、前記管路内の水を循環させるためのポンプが設けられ、前記ポンプは、浴槽から水を取水する取水口よりも低い位置に配置されていることも好ましい。
【００１９】
この好ましい態様では、取水口よりも低い位置にポンプを配置することで、ポンプに常に水が入った状態とすることができ、ポンプのいわゆるエア噛みの問題を確実に回避することができる。
【００２０】
また本発明に係る浴室乾燥機では、前記取水口は、浴槽の水を排水するための排水口であることも好ましい。
【００２１】
この好ましい態様では、排水口を取水口としているので、別途取水口を設ける必要がなくなり、装置の構成をシンプルなものとすることができる。
【発明の効果】
【００２２】
本発明によれば、浴槽に溜められた水の熱を効果的に利用することが可能であると共に、浴室の乾燥機能をより発揮することが可能な浴室乾燥機を提供することができる。
【図面の簡単な説明】
【００２３】
【図１】本発明の実施形態に係る浴室乾燥機を浴室内に配置した状態を示す斜視図である。
【図２】図１に示す浴室乾燥機の内部構成を示す概略構成図である。
【図３】図２に示す浴室乾燥機のコンプレッサー及び蒸発器の構成を示す概略構成図である。
【図４】図３のＡ部拡大図である。
【図５】図３に示すコンプレッサー及び蒸発器の変形例を示す概略構成図である。
【図６】図５のＢ部拡大図である。
【図７】図２に示す浴室乾燥機のポンプの配置位置の一例を示す図である。
【図８】図２に示す浴室乾燥機のポンプの配置位置の一例を示す図である。
【発明を実施するための形態】
【００２４】
以下、添付図面を参照しながら本発明の実施の形態について説明する。説明の理解を容易にするため、各図面において同一の構成要素に対しては可能な限り同一の符号を付して、重複する説明は省略する。
【００２５】
本発明の実施形態である浴室乾燥機について、図１を参照しながら説明する。図１は、本発明の実施形態に係る浴室乾燥機を浴室内に配置した状態を示す斜視図である。図１に示すように、浴室乾燥機ＤＵは、浴室ＢＲに配置されている。浴室ＢＲには浴槽ＢＴが配置されており、浴室乾燥機ＤＵは浴槽ＢＴが配置されていない領域、すなわち洗い場領域に配置されている。
【００２６】
浴室乾燥機ＤＵは、洗い場領域のカウンターＣＴの下方に配置されている。浴室乾燥機ＤＵには、吸込口ＤＵａと吹出口ＤＵｂとが設けられている。吸込口ＤＵａは下方に、吹出口ＤＵｂは上方に、それぞれ設けられている。浴室乾燥機ＤＵは、吸込口ＤＵａから吸い込んだ浴室ＢＲ内の空気を昇温したり乾燥したりして、吹出口ＤＵｂから浴室ＢＲ内へ吹き出す。
【００２７】
続いて、図２を参照しながら浴室乾燥機ＤＵの構成について説明する。図２は、図１に示す浴室乾燥機ＤＵの内部構成を示す概略構成図である。図２に示すように、浴室乾燥機ＤＵは、蒸発器１６と、コンプレッサー１８と、ヒーター２０（凝縮器）と、膨張弁２２とを備えている。更に、浴槽ＢＴ内に溜められる水を循環するため、給水管１０と排水管１２とが設けられている。
【００２８】
給水管１０は、浴槽ＢＴ内の水を吸い込んで蒸発器１６に供給する。給水管１０には排水管１２が繋がっていて、蒸発器１６に供給された水は排水管１２を通って浴槽ＢＴ側へ排水される。給水管１０にはポンプ１４が設けられており、ポンプ１４を駆動することで、給水管１０及び排水管１２内を水が循環する。
【００２９】
蒸発器１６と、コンプレッサー１８と、ヒーター２０と、膨張弁２２とは、いわゆるヒートポンプを形成している。蒸発器１６、コンプレッサー１８、ヒーター２０、及び膨張弁２２を循環するように、熱媒体（ガス）が循環する経路が形成されている。
【００３０】
熱媒体は、膨張弁２２によって減圧されることで温度が下がり、蒸発器１６に送られる。蒸発器１６では、給水管１０及び排水管１２を通る水（湯）から熱媒体が吸熱し、コンプレッサー１８に送られる。熱媒体は、コンプレッサー１８によって加圧されることで更に温度が上がる。この温度が上がった熱媒体は、ヒーター２０に送り込まれ、ヒーター２０において放熱し、膨張弁２２へと送られる。
【００３１】
続いて、図３を参照しながら、浴室乾燥機ＤＵの蒸発器１６及びコンプレッサー１８の構成について説明する。図３は、浴室乾燥機ＤＵに用いられる一例としての蒸発器１６ａ及びコンプレッサー１８ａの構成を示す概略構成図である。
【００３２】
図３に示すように、蒸発器１６ａには、給水管１０ａから水が供給され、その水は蒸発器１６ａの螺旋状配管１６ａａを通って排水管１２ａに送り出される。一方、蒸発器１６ａには、熱媒体を供給する供給管２４ａと、熱媒体をコンプレッサー１８ａ側に送り出す送出管２６ａが繋がれている。供給管２４ａから供給された熱媒体は、螺旋状配管１６ａａを流れる水と熱交換し、送出管２６ａ側に送り出される。
【００３３】
図３のＡ部拡大図を図４に示す。図４に示すように、排水管１２ａが繋がる管路３４ａは、螺旋状配管１６ａａに繋がる外部管路３０ａにつながっている。外部管路３０ａの内部には内部管路３２ａが配置されている。内部管路３２ａは、熱媒体の供給管２４ａに繋がっている。
【００３４】
螺旋状配管１６ａａは、外部管路３０ａ及び内部管路３２ａによって構成されている。外部管路３０ａには水（湯）が通り、内部管路３２ａには熱媒体が通る。従って、水（湯）と熱媒体とは、螺旋状配管１６ａａを通る間に熱交換するように構成されている。
【００３５】
図３を参照しながら説明した蒸発器１６及びコンプレッサー１８の一例である蒸発器１６ａ及びコンプレッサー１８ａについて、その変形例を図５を参照しながら説明する。図５は、変形例としての蒸発器１６ｂ及びコンプレッサー１８ｂの構成を示す概略構成図である。
【００３６】
図５に示すように、蒸発器１６ｂには、給水管１０ｂから水が供給され、その水は蒸発器１６ｂの螺旋状配管１６ｂａを通って排水管１２ｂに送り出される。この変形例の場合、排水管１２ｂは、コンプレッサー１８ｂの周囲を巻回されている。排水管１２ｂを流れる水（湯）は、コンプレッサー１８ｂが発生する熱を吸収してから浴槽ＢＴに向かう。
【００３７】
一方、蒸発器１６ｂには、熱媒体を供給する供給管２４ｂと、熱媒体をコンプレッサー１８ｂ側に送り出す送出管２６ｂが繋がれている。供給管２４ｂから供給された熱媒体は、螺旋状配管１６ｂａを流れる水と熱交換し、送出管２６ｂ側に送り出される。
【００３８】
図５のＢ部拡大図を図６に示す。図６に示すように、排水管１２ｂが繋がる管路３４ｂは、螺旋状配管１６ｂａに繋がる外部管路３０ｂにつながっている。外部管路３０ｂの内部には内部管路３２ｂが配置されている。内部管路３２ｂは、熱媒体の供給管２４ｂに繋がっている。
【００３９】
螺旋状配管１６ｂａは、外部管路３０ｂ及び内部管路３２ｂによって構成されている。外部管路３０ｂには水（湯）が通り、内部管路３２ｂには熱媒体が通る。従って、水（湯）と熱媒体とは、螺旋状配管１６ｂａを通る間に熱交換するように構成されている。
【００４０】
続いて、浴室乾燥機ＤＵのポンプ１４の配置態様について、図７を参照しながら説明する。図７は、図２に示す浴室乾燥機ＤＵのポンプ１４の配置位置の一例を示す図である。
【００４１】
図７に示すように、給水管１０ｃ及び排水管１２ｃは、浴槽ＢＴのアダプター４５に繋がっている。ポンプ１４ｃは、給水管１０ｃに設けられている。ポンプ１４ｃの設置位置は、アダプター４５よりも下方になるように構成されている。
【００４２】
続いて、図７の変形例を図８に示す。図８は、図２に示す浴室乾燥機ＤＵのポンプ１４の配置位置の一例を示す図である。図８に示すように、排水管１２ｄは浴槽ＢＴのアダプター４５に繋がっている一方で、給水管１０ｄは浴室ＢＲの排水口接続ユニット５０に繋がっている。排水口接続ユニット５０には弁５２が設けられている。ポンプ１４ｄは、給水管１０ｄに設けられている。ポンプ１４ｄの設置位置は、排水口４０よりも下方であって、更に排水口接続ユニット５０よりも下方になるように構成されている。
【００４３】
上述したように本実施形態に係る浴室乾燥機ＤＵは、浴室ＢＲの床面近傍に設けられる浴室乾燥機であって、浴室ＢＲにおける洗い場の床面近傍に配置されるハウジングＤＵｈと、ハウジングＤＵｈの一面（前面）に設けられ、浴室ＢＲの空気を吸い込む吸込口ＤＵａと、ハウジングＤＵｈの一面（前面）に設けられ、吸込口ＤＵａから吸い込んだ空気を浴室ＢＲに吹き出す吹出口ＤＵｂと、ハウジングＤＵｈの内部に設けられ、吸込口ＤＵａと吹出口ＤＵｂとを繋ぐ内部風路（図に明示せず）と、内部風路に設けられ、吸込口ＤＵａから吹出口ＤＵｂに至る空気の流れを形成する送風機（図に明示せず）と、浴室ＢＲに配置された浴槽ＢＴに溜められた水から熱を回収し、内部風路を流れる空気に熱を与えるヒートポンプと、を備える。
【００４４】
ヒートポンプは、浴槽ＢＴに溜められた水を循環する循環流路である給水管１０、排水管１２、螺旋状配管１６ａａ，１６ｂａと、循環流路から熱を回収する蒸発器１８（１８ａ，１８ｂ）と、内部風路を流れる空気に蒸発器１８（１８ａ，１８ｂ）で回収した熱を供給する凝縮器であるヒーター２０と、凝縮器であるヒーター２０に向けて冷媒（熱媒体）を圧送する圧縮機であるコンプレッサー１８（１８ａ，１８ｂ）と、を有する。
【００４５】
本実施形態によれば、浴室ＢＲの洗い場床面近傍にハウジングＤＵｈが配置されるので、吹出口ＤＵｂを洗い場の床面近傍に設けることができ、洗い場床面に空気を吹きつけて乾燥することができる。更に、浴室乾燥機ＤＵはヒートポンプを内蔵しているので、ヒートポンプを洗い場側に配置することができ、浴槽ＢＴの近傍にヒートポンプを配置しない構成を採用することができる。浴槽ＢＴの近傍にヒートポンプを配置せずとも、洗い場の浴槽側にヒートポンプを配置することができるので、浴槽ＢＴに溜められた水の熱を効果的に利用することが可能となり、浴室ＢＲを乾燥する機能をより発揮することができる。
【００４６】
また、ヒートポンプは、浴室ＢＲの洗い場に設けられたカウンターＣＴの下方に配置されている。このように、ヒートポンプを洗い場のカウンターＣＴ下に配置しているので、浴室ＢＲに必ず必要な洗い場においてデッドスペースとなりがちなカウンター下の空間を有効に活用することができる。更に、カウンターＣＴは図１に示すように、洗い場の浴槽側から対向する壁面に向けて配置されることが多いので、カウンター下にヒートポンプを配置することで洗い場の浴槽側にヒートポンプを配置することができる。
【００４７】
また、ヒートポンプは、浴槽側から洗い場側に向かう方向において、蒸発器１８、凝縮器であるヒーター２０の順に配置されている（図２参照）。このように、浴槽ＢＴに溜められた水から熱を受ける蒸発器１８を浴槽ＢＴ側に配置することができると共に、内部風路に流れる空気に熱を供給する凝縮器であるヒーター２０を洗い場側に配置することができるので、熱を無駄に逃がすことなく有効活用することができる。
【００４８】
図５に示すように、循環流路である循環流路である排水管１２ｂには、圧縮機であるコンプレッサー１８ｂが発生する熱を回収する熱回収部（排水管１２ｂがコンプレッサー１８ｂに巻回されている部分）が設けられていることも好ましい。
【００４９】
このように、圧縮機であるコンプレッサー１８ｂが発生する熱を回収し、循環流路に流れる水に熱を与えることができるので、圧縮機であるコンプレッサー１８ｂが発生する熱を有効活用することができる。
【００５０】
また、循環流路の上流側に蒸発器１６ｂが設けられ、下流側に熱回収部が設けられている。このように構成することで、圧縮機であるコンプレッサー１８ｂで加熱した水を、浴槽に排水することで浴槽水の温度低下を軽減することができるので、圧縮機が発生する熱をより有効活用することができる。
【００５１】
また、蒸発器１８ａ，１８ｂは、循環流路を形成する螺旋状配管１６ａａ，１６ｂａの内部にて機能を発揮するように、いわばそれら管路の内部において形成されている（図３〜図６参照）。
【００５２】
このように、循環流路を形成する螺旋状配管１６ａａ，１６ｂａの内部に蒸発器を設けることで、蒸発器表面に水が結露したとしても螺旋状配管１６ａａ，１６ｂａの内部に流れる水と渾然一体となるので、蒸発器表面に発生する結露水を処理するための特別な流路を設ける必要がなくなり、装置全体を小型化することができる。
【００５３】
また、循環流路には、管路内の水を循環させるためのポンプ１４（１４ｃ，１４ｄ）が設けられている。ポンプ１４ｃ，１４ｄは、浴槽ＢＴから水を取水する取水口よりも低い位置に配置されている（図７，図８参照）。
【００５４】
このように、取水口よりも低い位置にポンプを配置することで、ポンプに常に水が入った状態とすることができ、ポンプのいわゆるエア噛みの問題を確実に回避することができる。
【００５５】
また、取水口は、浴槽の水を排水するための排水口４０である。このように、排水口４０を取水口としているので、別途取水口を設ける必要がなくなり、装置の構成をシンプルなものとすることができる。
【符号の説明】
【００５６】
１０  給水管
１０ａ      給水管
１０ｂ      給水管
１０ｃ      給水管
１０ｄ      給水管
１２  排水管
１２ａ      排水管
１２ｂ      排水管
１２ｃ      排水管
１２ｄ      排水管
１４  ポンプ
１４ｃ      ポンプ
１４ｄ      ポンプ
１６  蒸発器
１６ａ      蒸発器
１６ａａ    螺旋状配管
１６ｂ      蒸発器
１６ｂａ    螺旋状配管
１８  コンプレッサー
１８ａ      コンプレッサー
１８ｂ      コンプレッサー
２０  ヒーター
２２  膨張弁
２４ａ      供給管
２４ｂ      供給管
２６ａ      送出管
２６ｂ      送出管
３０ａ      外部管路
３０ｂ      外部管路
３２ａ      内部管路
３２ｂ      内部管路
３４ａ      管路
３４ｂ      管路
４０  排水口
４５  アダプター
５０  排水口接続ユニット
５２  弁
ＢＲ  浴室
ＢＴ  浴槽
ＣＴ  カウンター
ＤＵ  浴室乾燥機
ＤＵａ      吸込口
ＤＵｂ      吹出口
ＤＵｈ      ハウジング
【図１】
2013076542.tif 000003
【図２】
2013076542.tif 000004
【図３】
2013076542.tif 000005
【図４】
2013076542.tif 000006
【図５】
2013076542.tif 000007
【図６】
2013076542.tif 000008
【図７】
2013076542.tif 000009
【図８】
2013076542.tif 000010